(57)【要約】【課題】測定精度の向上を図ることができる放射線断層撮影装置を提供する。【解決手段】静止画撮影部３８が同一撮影位置で時間を経て撮影した２枚の静止画に基づき、被検体２８の体動を検出する。これにより、トモシンセシス撮影部３２で取得したトモシンセシス用断層画像の信頼性を、体動検出部４４で検出した体動に基づいて判定することが可能となる。その結果、放射線断層撮影装置１０の測定精度の向上を図ることができる。【選択図】図１
2010115349.tif 000002
【特許請求の範囲】
【請求項１】
放射線源から被検体に対して複数の異なる角度で放射線を曝射し、前記被検体を透過した前記放射線を放射線変換パネルにより検出し、複数のトモシンセシス用断層画像を撮影するトモシンセシス撮影部と、
前記被検体の静止画を撮影する静止画撮影部と、
前記静止画撮影部が同一撮影位置で時間を経て撮影した複数の前記静止画に基づき、前記被検体の体動を検出する体動検出部と
を有する放射線断層撮影装置。
【請求項２】
請求項１記載の放射線断層撮影装置において、さらに、
前記複数のトモシンセシス用断層画像の撮影に要求される精度を確保することができない程の体動が前記被検体にあったとき、その旨を報知する体動報知部を有する
ことを特徴とする放射線断層撮影装置。
【請求項３】
請求項１又は２記載の放射線断層撮影装置において、
前記静止画撮影部は、デジタルカメラを備える
ことを特徴とする放射線断層撮影装置。
【請求項４】
請求項１〜３のいずれか１項に記載の放射線断層撮影装置において、
前記静止画撮影部は、トモシンセシス撮影直前及びトモシンセシス撮影直後に前記静止画を撮影する
ことを特徴とする放射線断層撮影装置。
【請求項５】
請求項１〜４のいずれか１項に記載の放射線断層撮影装置において、
前記体動検出部は、前記複数の静止画の差から前記被検体の体動を判定する
ことを特徴とする放射線断層撮影装置。
【請求項６】
請求項５記載の放射線断層撮影装置において、
前記体動検出部は、
前記複数の静止画から外形輪郭を抽出し、
前記外形輪郭の差から前記被検体の体動を判定する
ことを特徴とする放射線断層撮影装置。
【請求項７】
請求項１又は２記載の放射線断層撮影装置において、
前記静止画撮影部は、前記放射線源及び前記放射線変換パネルを含み、
前記複数の静止画は、トモシンセシス用断層画像である
ことを特徴とする放射線断層撮影装置。
【請求項８】
請求項７記載の放射線断層撮影装置において、
前記複数の静止画は、１回のトモシンセシス撮影における前記放射線源の往路及び復路の同一位置での撮影より得られたトモシンセシス用断層画像である
ことを特徴とする放射線断層撮影装置。
【請求項９】
請求項１又は２記載の放射線断層撮影装置において、
前記静止画撮影部は、前記放射線源及び前記放射線変換パネルを含み、
前記複数の静止画は、１回のトモシンセシス撮影における前記放射線源の往路及び復路の同一位置において、前記放射線源が曝射線量を増加させることにより得られた単純Ｘ線画像である
ことを特徴とする放射線断層撮影装置。
【請求項１０】
請求項８又は９記載の放射線断層撮影装置において、
前記複数の静止画は、前記被検体が横臥する撮影台の横臥面に対して垂直方向から撮影した静止画である
ことを特徴とする放射線断層撮影装置。
【請求項１１】
請求項１〜１０のいずれか１項に記載の放射線断層撮影装置において、
前記放射線断層撮影装置は、さらに、
表示部と、
使用者の操作により再撮影の要否を入力する再撮影要否入力部と
を備え、
前記体動検出部は、前記複数の静止画に基づき、前記被検体の体動量を検出し、
前記表示部は、前記体動検出部が検出した前記体動量を表示し、
前記再撮影要否入力部に再撮影の要求が入力されたとき、前記トモシンセシス撮影部は、再度、前記トモシンセシス撮影を行う
ことを特徴とする放射線断層撮影装置。
【発明の詳細な説明】
【技術分野】
【０００１】
この発明は、放射線撮影に際して静止状態にあるべき被検体の体動を検出することができる放射線断層撮影装置に関する。
【背景技術】
【０００２】
放射線撮影中、被検体が体動し、被検体の撮影部の位置が変化すると、良好な放射線画像を取得することができないことがある。そこで、被検体の体動の影響を抑制する放射線断層撮影装置が提案されている（特許文献１、２）。
【０００３】
特許文献１では、患者の胸部に電極を配置し（特許文献１の段落［００１６］）、電極を通じて検出したインピーダンス変化に対応する呼吸特性に応じて画像を拡大又は縮小して画像のボケを低減する（特許文献１の段落［００２０］）。
【０００４】
特許文献２では、患者にＥＣＧプローブを付け（特許文献２の段落［００２４］）、ＣＴ画像から心臓の運動を算出し、この算出された運動に基づいてＰＥＴ画像等の補正を行う（特許文献２の段落［００２７］）。
【０００５】
なお、１回の断層撮影で３次元的な画像情報を取得可能なトモシンセシスを利用する放射線断層撮影装置が提案されている（特許文献３）。
【０００６】
【特許文献１】特表２００６−５１２９６１号公報
【特許文献２】特開２００６−３００９３８号公報
【特許文献３】特開２００５−３０５１１３号公報
【発明の開示】
【発明が解決しようとする課題】
【０００７】
特許文献１、２に記載の放射線断層撮影装置では、心臓鼓動や呼吸に関する体動のみが検出され、その他の体動が考慮されていない。その結果、心臓鼓動や呼吸に関する体動以外の体動が存在した場合、放射線断層撮影装置の測定精度が低下するおそれがある。特許文献３においても、この点に関する記載はない。
【０００８】
この発明はこのような課題を考慮してなされたものであり、測定精度の向上を図ることができる放射線断層撮影装置を提供することを目的とする。
【課題を解決するための手段】
【０００９】
この発明に係る放射線断層撮影装置は、放射線源から被検体に対して複数の異なる角度で放射線を曝射し、前記被検体を透過した前記放射線を放射線変換パネルにより検出し、複数のトモシンセシス用断層画像を撮影するトモシンセシス撮影部と、前記被検体の静止画を撮影する静止画撮影部と、前記静止画撮影部が同一撮影位置で時間を経て撮影した複数の前記静止画に基づき、前記被検体の体動を検出する体動検出部とを有する。
【００１０】
この発明によれば、同一撮影位置で時間を経て撮影した複数の静止画に基づき、被検体の体動を検出する。これにより、トモシンセシス撮影部で取得したトモシンセシス用断層画像の信頼性を、体動検出部で検出した体動に基づいて判定することが可能となる。その結果、放射線断層撮影装置の測定精度の向上を図ることができる。
【００１１】
なお、静止画とは、複数の静止画を用いて被検体の体動を判別できるものであればよく、例えば、デジタルカメラの画像やトモシンセシス用断層画像、単純Ｘ線画像とすることができる。
【００１２】
前記複数のトモシンセシス用断層画像の撮影に要求される精度を確保することができない程の体動が前記被検体にあったとき、その旨を報知する体動報知部を有してもよい。これにより、医師や放射線技師等の使用者に対して、当該体動の存在を簡易に知らせることができる。
【００１３】
前記静止画撮影部は、トモシンセシス撮影直前及びトモシンセシス撮影直後に前記複数の静止画を撮影してもよい。或いは、１回のトモシンセシス撮影における前記放射線源の往路及び復路の同一位置で前記複数の静止画を撮影してもよい。ここでの前記複数の静止画が、トモシンセシス用断層画像の場合、トモシンセシス用断層画像によりトモシンセシスと被写体の体動検出の両方を行うことができるため、省スペース化を図ることができる。また、前記複数の静止画が、前記放射線源が曝射線量を増加させることにより得られた単純Ｘ線画像である場合、トモシンセシス撮影部によりトモシンセシス撮影と静止画撮影（単純画像撮影）の両方を行うことができるため、省スペース化を図ることができる。
【００１４】
前記複数の静止画は、前記被検体が横臥する撮影台の横臥面に対して垂直方向から撮影した静止画としてもよい。
【００１５】
前記体動検出部は、前記複数の静止画の差から前記被検体の体動を判定してもよい。さらに、前記体動検出部は、前記複数の静止画から外形輪郭を抽出し、前記外形輪郭の差から前記被検体の体動を判定してもよい。
【００１６】
前記放射線断層撮影装置は、さらに、表示部と、使用者の操作により再撮影の要否を入力する再撮影要否入力部とを備え、前記体動検出部は、前記複数の静止画に基づき、前記被検体の体動量を検出し、前記表示部は、前記体動検出部が検出した前記体動量を表示し、前記再撮影要否入力部に再撮影の要求が入力されたとき、前記トモシンセシス撮影部は、再度、前記トモシンセシス撮影を行ってもよい。これにより、再撮影の要否の確認及び再撮影の実行を簡易に行うことができる。
【発明の効果】
【００１７】
この発明によれば、同一撮影位置で時間を経て撮影した複数の静止画に基づき、被検体の体動を検出する。これにより、トモシンセシス撮影部で取得したトモシンセシス用断層画像の信頼性を、体動検出部で検出した体動に基づいて判定することが可能となる。その結果、放射線断層撮影装置の測定精度の向上を図ることができる。
【発明を実施するための最良の形態】
【００１８】
以下、この発明の実施形態に係る放射線断層撮影装置を、図１〜図４を参照しながら説明する。
【００１９】
Ａ．第１実施形態
１．放射線断層撮影装置１０の構成
図１には、第１実施形態に係る放射線断層撮影装置１０のブロック構成図が示されている。放射線断層撮影装置１０は、放射線源１２と、カセッテ１４と、第１移動機構１６と、第２移動機構１８と、デジタルカメラ２０と、制御装置２２と、入力部２４と、表示部２６とを有する。
【００２０】
放射線源１２は、制御装置２２からの指令に応じて、Ｘ線等の放射線Ｘを所定の曝射線量で出力する。カセッテ１４は、放射線源１２から出射され、被検体２８（患者）を透過した放射線Ｘを検出し、放射線画像情報に変換する放射線変換パネル３０をその内部に収容している。放射線変換パネル３０は、変換後の放射線画像情報を制御装置２２に出力する。第１移動機構１６は、制御装置２２からの指令に応じて放射線源１２を移動させる。第２移動機構１８は、制御装置２２からの指令に応じてカセッテ１４を移動させる。放射線源１２と、放射線変換パネル３０と、第１移動機構１６と、第２移動機構１８と、制御装置２２とで、第１実施形態のトモシンセシス撮影部３２を構成する。
【００２１】
デジタルカメラ２０は、撮影台３４の横臥面３６に横臥した被検体２８の静止画を、制御装置２２からの指令に応じて撮影する。第１実施形態において、デジタルカメラ２０は、その撮影方向が横臥面３６に垂直となるように且つ撮影台３４の幅方向（図１中、左右方向）の中央に対応して配置されている。デジタルカメラ２０と、制御装置２２とで、第１実施形態の静止画撮影部３８を構成する。
【００２２】
制御装置２２は、撮影制御部４０と、画像処理部４２と、体動検出部４４と、体動報知部４６とを有する。
【００２３】
撮影制御部４０は、トモシンセシス撮影部３２を用いたトモシンセシス撮影と、静止画撮影部３８を用いた静止画撮影とを制御する。
【００２４】
具体的には、トモシンセシス撮影として、撮影制御部４０は、放射線源１２の中心と放射線変換パネル３０の中心とを結ぶ線と放射線源１２からの照射方向とが略一致する状態で放射線源１２と放射線変換パネル３０とを被検体２８を挟んで互いに反対方向に同期移動させる。また、前記同期移動の際、放射線源１２に対して放射線Ｘの出力を命ずると共に、放射線変換パネル３０が取得した放射線画像情報（トモシンセシス用断層画像のデータ）を読み出す。
【００２５】
静止画撮影として、撮影制御部４０は、デジタルカメラ２０に対して静止画（外観画像）の撮影を指令すると共に、デジタルカメラ２０が取得した静止画のデータを読み出す。
【００２６】
画像処理部４２は、放射線変換パネル３０から撮影制御部４０が読み出したトモシンセシス用断層画像のデータを処理する。具体的には、放射線源１２による放射線Ｘの出力毎に取得される複数のトモシンセシス用断層画像のデータを、シフト加算法やフィルタ逆投影法（ＦＢＰ法）により再構成し、任意の断層位置（裁断高さ）における断層画像（再構成断層画像）を得る。そして、この再構成断層画像に対し、各種の画像補正処理｛ゲイン調整（感度補正）、オフセット調整（階調補正）、エッジ強調（周波数強調）等｝を実行した後、表示部２６に表示させる。また、デジタルカメラ２０から出力された静止画のデータについても同様の画像補正処理を実行した後、表示部２６に表示させる。
【００２７】
体動検出部４４は、デジタルカメラ２０から撮影制御部４０が読み出した静止画のデータに基づいて、異常体動の有無を検出する。具体的には、デジタルカメラ２０が取得した２枚の静止画のデータに基づいて、トモシンセシス撮影中に、被検体２８に異常体動がなかったかどうかを判定する（詳細は後述する。）。なお、異常体動とは、トモシンセシス撮影に十分な精度を確保することができない程の体動を示す。
【００２８】
体動報知部４６は、体動検出部４４が異常体動を検出した際、異常体動があったことを表示部２６に表示する。
【００２９】
撮影制御部４０、画像処理部４２、体動検出部４４及び体動報知部４６は、図示しないＣＰＵ（中央演算装置）やメモリ等から構成される。
【００３０】
入力部２４は、トモシンセシス撮影に関する医師５０からの指令を入力する部位であり、例えば、操作ボタン、キーボード、マウス等の機器により構成される。表示部２６は、制御装置２２からの出力に基づく映像を表示する。
【００３１】
トモシンセシス撮影に関する基本的な構成は、例えば、特許文献３に記載されたものを用いることができる。
【００３２】
２．トモシンセシス撮影の方法
次に、第１本実施形態の放射線断層撮影装置１０を用いて、被検体２８の体動を監視しながらトモシンセシス撮影を行う方法について説明する。図２には、当該方法のフローチャートが示されている。
【００３３】
ステップＳ１において、制御装置２２は、医師５０から入力部２４に対してトモシンセシス撮影の要求があるかどうかを判定する。トモシンセシス撮影の要求がない場合（Ｓ１：Ｎｏ）、制御装置２２は、ステップＳ１の処理を継続する。トモシンセシス撮影の要求があった場合（Ｓ１：Ｙｅｓ）、ステップＳ２において、制御装置２２は、デジタルカメラ２０に対して静止画の撮影指令を送信する。この撮影指令を受信したデジタルカメラ２０は、被検体２８の静止画（外観画像）を撮影する。
【００３４】
続くステップＳ３において、制御装置２２は、トモシンセシス撮影を行う。具体的には、第１移動機構１６及び第２移動機構１８を作動させて、被検体２８を挟んで放射線源１２と放射線変換パネル３０とを互いに反対方向に同期移動させながら、放射線源１２から放射線Ｘを出力させ、被検体２８を透過した放射線Ｘを放射線変換パネル３０で検出し、放射線画像情報（トモシンセシス用断層画像のデータ）に変換する。
【００３５】
トモシンセシス撮影が終了し、必要とされる放射線画像情報を全て取得し終わると、ステップＳ４において、制御装置２２は、再度、デジタルカメラ２０に対して静止画の撮影指令を送信する。この２度目の撮影指令を受信したデジタルカメラ２０は、２枚目の被検体２８の静止画を撮影する。
【００３６】
ステップＳ５において、制御装置２２は、トモシンセシス撮影の直前及び直後に撮影された２枚の静止画に基づいて、被検体２８の体動量Ｄｂ［ｍｍ］を演算する。ここでの体動量Ｄｂは、例えば、２枚の静止画から抽出された２つの外形輪郭の差として定義される。
【００３７】
ステップＳ６において、制御装置２２は、演算した体動量Ｄｂが、体動量閾値ＴＨ＿Ｄｂ［ｍｍ］以上であるかどうかを判定する。体動量閾値ＴＨ＿Ｄｂは、例えば、複数のトモシンセシス用断層画像の撮影に要求される精度を確保することができると判断される体動量の最大値である。体動量Ｄｂが体動量閾値ＴＨ＿Ｄｂ未満である場合（ステップＳ６：Ｎｏ）、トモシンセシス撮影中に、再撮影を要する程の体動（異常体動）がなかったと判断することができる。そこで、そのまま撮影処理（トモシンセシス撮影及び静止画撮影）を終え、ステップＳ７において、トモシンセシス用断層画像のデータを再構成した再構成断層画像を表示部２６に表示する。体動量Ｄｂが体動量閾値ＴＨ＿Ｄｂ以上である場合（ステップＳ６：Ｙｅｓ）、トモシンセシス撮影中に、異常体動があったと判断することができる。そこで、ステップＳ８において、制御装置２２は、異常体動があった旨を表示部２６に表示する。これに合わせて、警告音を出力させてもよい。当該表示を見た医師５０は、入力部２４を介してトモシンセシス撮影の要求を再度入力することにより、撮り直しをすることができる。なお、ここでいう異常体動は、本来、静止していなければならない被検体２８が、何らかの原因で移動（体動）したことを意味し、例えば、数ｍｍ〜数十ｍｍ程度の移動を想定している。
【００３８】
３．第１実施形態の効果
以上のように、第１実施形態では、固定配置されたデジタルカメラ２０を用いて同一撮影位置でトモシンセシス撮影直前及びトモシンセシス撮影直後に撮影した２枚の静止画に基づき、被検体２８の体動を検出する。これにより、トモシンセシス撮影部３２で取得したトモシンセシス用断層画像の信頼性を、体動検出部４４で検出した体動に基づいて判定することが可能となる。その結果、放射線断層撮影装置１０の測定精度の向上を図ることができる。
【００３９】
第１実施形態では、被検体２８に異常体動があったとき、制御装置２２の体動報知部４６は、表示部２６を用いてその旨を報知する。これにより、医師５０に対して、異常体動の存在を簡易に知らせることができる。
【００４０】
Ｂ．第２実施形態
１．第１実施形態との相違
図３には、この発明の第２実施形態に係る放射線断層撮影装置１０Ａが示されている。この放射線断層撮影装置１０Ａには、第１実施形態の放射線断層撮影装置１０のようなデジタルカメラ２０が存在しない。また、制御装置２２ａは、撮影制御部４０、画像処理部４２、体動検出部４４及び体動報知部４６の代わりに、撮影制御部４０ａ、画像処理部４２ａ、体動検出部４４ａ及び体動報知部４６ａを有する。さらに、被検体２８の静止画は、放射線源１２ａと放射線変換パネル３０ａとにより撮影可能であり、第２実施形態では、放射線源１２ａと放射線変換パネル３０ａと撮影制御部４０ａとが静止画撮影部３８ａを構成する。この静止画撮影部３８ａは、単純Ｘ線撮影が可能である。単純Ｘ線撮影とは、再構成を行わずにそのまま表示することを目的とした単純Ｘ線画像のデータを取得するものである。なお、トモシンセシス用断層画像は再構成して用いること（複数のトモシンセシス用断層画像を合成して用いること）が前提となっているため、１枚のトモシンセシス用断層画像のデータを取得するための放射線Ｘの曝射線量（１回の曝射線量）は、１枚の単純Ｘ線画像のデータを取得するための放射線Ｘの曝射線量よりも小さく設定されることがある。
【００４１】
第２実施形態の放射線源１２ａは、トモシンセシス撮影用の曝射線量での放射線Ｘの出力に加え、この曝射線量よりも大きい単純Ｘ線撮影用の曝射線量での放射線Ｘの出力が可能である。また、放射線変換パネル３０ａは、トモシンセシス撮影用の曝射線量での放射線Ｘの検出に加え、単純Ｘ線撮影用の曝射線量での放射線Ｘの検出が可能である。これにより、放射線源１２ａと放射線変換パネル３０ａとの組合せにより、比較的曝射線量の少ないトモシンセシス用断層画像に加え、比較的曝射線量の多い単純Ｘ線画像を取得可能である。画像処理部４２ａは、トモシンセシス用断層画像及び単純Ｘ線画像の処理が可能である。
【００４２】
２．トモシンセシス撮影の方法
次に、第２実施形態の放射線断層撮影装置１０Ａを用いて、被検体２８の体動を監視しながらトモシンセシス撮影を行う方法について説明する。図４には、当該方法のフローチャートが示されている。
【００４３】
ステップＳ１１において、制御装置２２ａは、医師５０から入力部２４に対してトモシンセシス撮影の要求があるかどうかを判定する。トモシンセシス撮影の要求がない場合（Ｓ１１：Ｎｏ）、制御装置２２ａは、ステップＳ１１の処理を継続する。トモシンセシス撮影の要求があった場合（Ｓ１１：Ｙｅｓ）、ステップＳ１２において、制御装置２２ａは、トモシンセシス撮影を開始する。具体的には、第１移動機構１６及び第２移動機構１８を作動させて、被検体２８を挟んで放射線源１２ａと放射線変換パネル３０ａとを互いに反対方向に同期移動させながら、放射線源１２ａから放射線Ｘを出力させ、被検体２８を透過した放射線Ｘを放射線変換パネル３０ａで検出し、放射線画像情報（トモシンセシス用断層画像のデータ）に変換する。
【００４４】
トモシンセシス撮影中に、放射線源１２ａが、撮影台３４の横臥面３６に対して垂直の位置（垂直位置Ｐ１ａ）に、放射線変換パネル３０ａがこれに対応する位置（垂直位置Ｐ１ｂ）に来ると、ステップＳ１３において、制御装置２２ａは、放射線源１２ａが出力する曝射線量を増加させて単純Ｘ線撮影を行い、１枚目の単純Ｘ線画像（静止画）のデータを取得する。
【００４５】
続くステップＳ１４において、制御装置２２ａは、トモシンセシス撮影を再開する。放射線源１２ａ及び放射線変換パネル３０ａが終了位置Ｐ２ａ、Ｐ２ｂに来てトモシンセシス撮影を終了すると、制御装置２２ａは、第１移動機構１６及び第２移動機構１８を介して放射線源１２ａと放射線変換パネル３０ａとを初期位置Ｐ３ａ、Ｐ３ｂに向かって同期移動させる。放射線源１２ａ及び放射線変換パネル３０ａが、再度、垂直位置Ｐ１ａ、Ｐ１ｂに来ると、ステップＳ１５において、制御装置２２ａは、放射線源１２ａが出力する曝射線量を増加させて単純Ｘ線撮影を行い、２枚目の単純Ｘ線画像のデータを取得する。
【００４６】
続くステップＳ１６において、制御装置２２ａは、２枚の単純Ｘ線画像に基づいて、被検体２８の体動量Ｄｂを演算する。ここでの体動量Ｄｂは、例えば、２枚の単純Ｘ線画像から抽出された２つの外形輪郭の差として定義される。
【００４７】
ステップＳ１７において、制御装置２２ａは、演算した体動量Ｄｂと再撮影の要否の問合せとを表示部２６に表示する。医師５０が入力部２４を操作して再撮影は不要であるとの指示を入力すると（Ｓ１８：Ｎｏ）、制御装置２２ａは撮影処理（トモシンセシス撮影及び単純Ｘ線撮影）を終了する。そして、ステップＳ１９において、トモシンセシス用断層画像のデータを再構成した再構成断層画像を表示部２６に表示する。医師５０が入力部２４を操作して再撮影が必要であるとの指示を入力すると（Ｓ１８：Ｙｅｓ）、ステップＳ１２に戻り、制御装置２２ａは、再度、トモシンセシス撮影を行う。
【００４８】
３．第２実施形態の効果
第２実施形態では、第１実施形態と同様の効果を得られることに加え、１回のトモシンセシス撮影における放射線源１２ａの往路及び復路の同一位置（垂直位置Ｐ１ａ）における２枚の単純Ｘ線画像に基づいて体動量Ｄｂを算出することができる。これにより、トモシンセシス撮影部３２ａによりトモシンセシス撮影と静止画撮影の両方を行うことができるため、省スペース化を図ることができる。また、単純Ｘ線画像を用いることにより、検出精度を向上することが可能である。
【００４９】
また、第２実施形態では、体動量Ｄｂ及び再撮影の要否の問合せを表示部２６に表示し、入力部２４に再撮影の要求が入力されたとき、トモシンセシス撮影部３２ａは、再度、トモシンセシス撮影を行う。これにより、再撮影の要否の確認及び再撮影の実行を簡易に行うことができる。
【００５０】
Ｃ．変形例
なお、この発明は、上記実施形態に限らず、この明細書の記載内容に基づき、種々の構成を採り得ることはもちろんである。例えば、以下の構成を採用することができる。
【００５１】
上記第１実施形態では放射線断層撮影装置１０を、上記第２実施形態では放射線断層撮影装置１０Ａを用いたが、これら以外の放射線断層撮影装置を用いてもよい。
【００５２】
上記第１実施形態では、体動量Ｄｂが体動量閾値ＴＨ＿Ｄｂ以上となったとき、トモシンセシス撮影中に異常体動があった旨を表示部２６に表示し、第２実施形態では、体動量Ｄｂと再撮影の要否の問合せとを表示部２６に表示したが、表示内容及び表示方法はこれに限られない。例えば、異常体動があった旨と再撮影の要否の問合せとを表示部２６に表示することもできる。また、文字や画像等の視覚情報ではなく、音声情報として体動の検出結果を出力してもよい。
【００５３】
上記第１実施形態及び上記第２実施形態のいずれにおいても、撮影台３４の横臥面３６に対して放射線源１２、１２ａが垂直の位置（図３の垂直位置Ｐ１ａ）にあり且つ撮影台３４の幅方向（図１、図３中の左右方向）の中央の位置で被検体２８の静止画（外観画像、単純Ｘ線画像）を撮影したが、これに限られず、撮影位置及び撮影方向は任意に設定可能である。さらに、第２実施形態では、単純Ｘ線画像の撮影を、トモシンセシス撮影の途中で行ったが、トモシンセシス撮影の直前及び直後に行ってもよい。さらにまた、静止画として、トモシンセシス用断層画像を用いてもよい。
【００５４】
上記各実施形態では、放射線源１２と放射線変換パネル３０は水平方向（図１中、左右方向）に同期移動させたが、これに限られず、例えば、特許文献３に示す装置のように、放射線源と放射線変換パネルとが円弧状の連結部材に固定され、この連結部材を回転させることで放射線源と放射線変換パネルとを同期移動させてもよい。
【００５５】
上記第１実施形態では、２枚の静止画から抽出された２つの外形輪郭の差として定義した体動量Ｄｂを用いて、上記第２実施形態では、２枚の単純Ｘ線画像から抽出された２つの外形輪郭の差として定義した体動量Ｄｂを用いて被写体２８の体動を判定したが、２枚の静止画又は２枚の単純Ｘ線画像の差から体動を判定するものであれば、これに限られない。例えば、２枚の単純Ｘ線画像において濃度（輝度）が所定値以上の領域の差が、所定閾値を超えたとき、異常体動があったと判定することもできる。
【００５６】
上記第２実施形態では、２枚の単純Ｘ線画像を用いて、被写体２８の体動を判定したが、２枚のトモシンセシス用断層画像を用いて、被写体２８の体動を判定してもよい。
【図面の簡単な説明】
【００５７】
【図１】第１実施形態に係る放射線断層撮影装置のブロック構成図である。
【図２】第１実施形態に係る放射線断層撮影装置を用いてトモシンセシス撮影を行うフローチャートである。
【図３】第２実施形態に係る放射線断層撮影装置のブロック構成図である。
【図４】第２実施形態に係る放射線断層撮影装置を用いてトモシンセシス撮影を行うフローチャートである。
【符号の説明】
【００５８】
１０、１０Ａ…放射線断層撮影装置          １２、１２ａ…放射線源
２０…デジタルカメラ                      ２２、２２ａ…制御装置
２４…入力部                              ２６…表示部
２８…被検体                              ３０、３０ａ…放射線変換パネル
３２、３２ａ…トモシンセシス撮影部        ３４…撮影台
３６…横臥台                              ３８、３８ａ…静止画撮影部
４４、４４ａ…体動検出部                  ４６、４６ａ…体動報知部
Ｄｂ…体動量                              Ｐ１ａ、Ｐ１ｂ…垂直位置
Ｘ…放射線
【図１】
2010115349.tif 000003
【図２】
2010115349.tif 000004
【図３】
2010115349.tif 000005
【図４】
2010115349.tif 000006